(57)【特許請求の範囲】
【請求項１】
監視を要する空間において、その空間内の空気を採取し、人又は動物の発する特定の微量成分の変化を質量分析法によって検出する、死亡した人又は動物の存在、或いはその生活痕跡の検知方法であって、
前記人又は動物の発する特定の微量成分が、人又は動物の死体が発する酪酸、イソ酪酸、ジエチルチオアセタール、インドール又はスカトールであり、
死亡した人又は動物が存在しない時の酪酸、イソ酪酸、ジエチルチオアセタール、インドール又はスカトールのイオンのｍ／ｚ値の強度、及び死亡した人又は動物が存在するか否か、或いは死亡した人又は動物の生活痕跡があるか否かを判別するための酪酸、イソ酪酸、ジエチルチオアセタール、インドール又はスカトールについての基準値を一つ以上登録手段に登録しておき、
採取した空間内の空気を質量分析して検出される酪酸、イソ酪酸、ジエチルチオアセタール、インドール又はスカトールのイオンのｍ／ｚ値の強度を、前記登録手段に登録された死亡した人又は動物が存在しない時の酪酸、イソ酪酸、ジエチルチオアセタール、インドール又はスカトールのイオンのｍ／ｚ値の強度と比較し、この酪酸、イソ酪酸、ジエチルチオアセタール、インドール又はスカトールのイオンの比較値が、前記登録手段に登録された酪酸、イソ酪酸、ジエチルチオアセタール、インドール又はスカトールについての基準値を超える場合に死亡した人又は動物が存在するか、或いはその生活痕跡があったと判断する
ことを特徴とする、死亡した人又は動物の存在、或いはその生活痕跡の検知方法。
【請求項２】
特定の空間内から採取した空気をイオン化する手段と、
質量分離する手段と、
イオン検出手段と、
死亡した人又は動物が存在しない時の酪酸、イソ酪酸、ジエチルチオアセタール、インドール又はスカトールのイオンのｍ／ｚ値の強度、及び死亡した人又は動物が存在するか否か、或いは死亡した人又は動物の生活痕跡があるか否かを判別するための酪酸、イソ酪酸、ジエチルチオアセタール、インドール又はスカトールについての基準値を一つ以上登録することのできる登録手段と、
前記質量分離手段により検出される酪酸、イソ酪酸、ジエチルチオアセタール、インドール又はスカトールのイオンのｍ／ｚ値の強度を、前記登録手段に登録された死亡した人又は動物が存在しない時の酪酸、イソ酪酸、ジエチルチオアセタール、インドール又はスカトールのイオンのｍ／ｚ値と比較し、この酪酸、イソ酪酸、ジエチルチオアセタール、インドール又はスカトールのイオンの比較値が、前記登録手段に登録された酪酸、イソ酪酸、ジエチルチオアセタール、インドール又はスカトールについての基準値を超える場合に死亡した人又は動物が存在するか、或いはその生活痕跡があったと判断する判別手段と、
判別結果の送受信手段と
を備えたことを特徴とする、死亡した人又は動物の存在、或いはその生活痕跡の検知装置。
【発明の詳細な説明】
【０００１】
【発明の属する技術分野】
本発明は、閉ざされた空間内において生存している人又は動物を検知する方法、及びすでに死亡した人又は動物の存在又はその生活痕跡を検知する方法及び装置に関する。
【０００２】
【従来の技術】
従来から一人住まいの老人の生活の様子を把握したり、或いは地震等の災害で崩壊した家の下に閉じ込められた人を捜索したり、密入国者や建物への不法侵入者を監視したりするために、従来から種々の人又は動物の検知方法又は検知装置が提案されている。
例えば、生活している人の様子の把握のための検知器としては、その動きを赤外線で検知する赤外線センサーを使用するものや、トイレや洗面所の水の使用を検知する流水検知器を使用するもの、ドアの開閉を検知するドアセンサーを使用するもの等が用いられていた。しかし、赤外線センサーは犬や猫等のペットの動きやカーテンの揺らぎ等を検知することがあり、流水検知やドアセンサーも使用回数が少ないと誤報が生ずる等の問題があった。
また、密入国者や建物への侵入者の検知、或いは震災等で崩壊した瓦礫中に閉じ込められた人の生存を確認したり、死亡した人の捜索等は極めて困難で、このような場合に人の検知の有効な簡便な方法が無く、満足すべき手段が無いのが現状である。
【０００３】
【発明が解決しようとする課題】
従って、このような従来の技術による人又は動物の検知は感度が不十分で確実な検知ができなかったり、いろいろな条件下で使用されるためその状況によって誤報が多くその信頼性に欠けるという問題があった。また、既に死亡した人や動物を検知して、不明者の捜索等に簡便に利用できる実用的な検知器が求められていた。
【０００４】
【課題を解決するための手段】
このような状況に鑑み、本発明者は鋭意検討の結果、人又は動物の呼気に含まれる特定の成分、或いは死亡した人又は動物の発する臭気中の特定の成分に注目し、これを測定することによって生存する人又は動物の存在を確認し、死亡した人又は動物を検知し、又はその生活痕跡を検出することができることを見出し、本発明を完成した。
【０００５】
即ち、本発明は、一般的な種々の用途の部屋や監視を要するある領域のような特定の空間において、その空間内の空気を採取し、人又は動物の発する特定の微量成分の濃度の変化を質量分析法によって検出することを特徴とする人又は動物の検知方法である。
具体的には、本発明は、監視を要する空間において、その空間内の空気を採取し、人又は動物の発する特定の微量成分の変化を質量分析法によって検出する、死亡した人又は動物の存在、或いはその生活痕跡の検知方法であって、前記人又は動物の発する特定の微量成分が、人又は動物の死体が発する酪酸、イソ酪酸、ジエチルチオアセタール、インドール又はスカトールであり、死亡した人又は動物が存在しない時の酪酸、イソ酪酸、ジエチルチオアセタール、インドール又はスカトールのイオンのｍ／ｚ値の強度、及び死亡した人又は動物が存在するか否か、或いは死亡した人又は動物の生活痕跡があるか否かを判別するための酪酸、イソ酪酸、ジエチルチオアセタール、インドール又はスカトールについての基準値を一つ以上登録手段に登録しておき、採取した空間内の空気を質量分析して検出される酪酸、イソ酪酸、ジエチルチオアセタール、インドール又はスカトールのイオンのｍ／ｚ値の強度を、前記登録手段に登録された死亡した人又は動物が存在しない時の酪酸、イソ酪酸、ジエチルチオアセタール、インドール又はスカトールのイオンのｍ／ｚ値の強度と比較し、この酪酸、イソ酪酸、ジエチルチオアセタール、インドール又はスカトールのイオンの比較値が、前記登録手段に登録された酪酸、イソ酪酸、ジエチルチオアセタール、インドール又はスカトールについての基準値を超える場合に死亡した人又は動物が存在するか、或いはその生活痕跡があったと判断することを特徴とする、死亡した人又は動物の存在、或いはその生活痕跡の検知方法である。
【０００７】
また、本発明は、特定の空間内から採取した空気をイオン化する手段と、質量分離する手段と、イオン検出手段と、死亡した人又は動物が存在しない時の酪酸、イソ酪酸、ジエチルチオアセタール、インドール又はスカトールのイオンのｍ／ｚ値（質量数／荷電数）の強度、及び死亡した人又は動物が存在するか否か、或いは死亡した人又は動物の生活痕跡があるか否かを判別するための酪酸、イソ酪酸、ジエチルチオアセタール、インドール又はスカトールについての基準値を一つ以上登録することのできる登録手段と、前記質量分離手段により検出される酪酸、イソ酪酸、ジエチルチオアセタール、インドール又はスカトールのイオンのｍ／ｚ値の強度を、前記登録手段に登録された死亡した人又は動物が存在しない時の酪酸、イソ酪酸、ジエチルチオアセタール、インドール又はスカトールのイオンのｍ／ｚ値の強度と比較し、この酪酸、イソ酪酸、ジエチルチオアセタール、インドール又はスカトールのイオンの比較値が、前記登録手段に登録された酪酸、イソ酪酸、ジエチルチオアセタール、インドール又はスカトールについての基準値を超える場合に死亡した人又は動物が存在するか、或いはその生活痕跡があったと判断する判別手段と、判別結果の送受信手段とを備えたことを特徴とする、死亡した人又は動物の存在、或いはその生活痕跡の検知装置である。
【０００９】
【発明の実施の形態】
人又は動物が死亡した時には微量の硫黄含有化合物、チッソ含有化合物、炭化水素化合物又は有機酸類が有臭物質として発生する。これらも通常は大気中には存在しないが、その生活痕跡がある場合にはｐｐｍの濃度で検出され、死亡した死体が存在する場合には腐敗臭としてその１０倍以上の高濃度で検出されるので、この硫黄含有化合物、チッソ含有化合物、炭化水素化合物又は有機酸類の濃度をモニターすることによって死亡した人又は動物の存在又はその生活痕跡を検知することができる。この硫黄含有化合物、チッソ含有化合物、炭化水素化合物又は有機酸類としては多数のものがあるが、アンモニア、メルカプタン、硫化水素のような同分子量の物質が比較的大気中又は周辺環境中に存在する又は発生する可能性のあるものは好ましくない。本発明では、酪酸、イソ酪酸、ジエチルチオアセタール、インドール、スカトールのような通常の環境中には存在する可能性が少なく量が少ないものに注目してこの濃度をモニターする。
【００１０】
空間内のこれらの成分の検出は、質量分析法、ガスクロマトグラフィー、赤外線吸収スペクトル、フーリエ変換赤外線スペクトル等の様々な方法が考えられるが、本発明において、死体の発する酪酸、イソ酪酸、ジエチルチオアセタール、インドール又はスカトールの検出は質量分析法で行われる。この質量分析法に使用する質量分析装置は、通常イオン化手段、分子量ごとに分離する質量分離手段、イオンをカウントするイオン検出手段、質量分離手段の作用を促進するコントローラー、及び質量分離手段を真空に保つ真空ポンプにより構成されている。
【００１１】
本発明において、特定の空間からサンプリングされた空気は、まずイオン化手段でイオン化される。イオン化手段で行われるイオン化は、様々な方法で行うことができる。とくに最近のソフトイオン化技術と呼ばれる、サンプルをフラグメント化すなわち分断せずに親イオンとして得る技術の進歩は著しく、これらの方法を用いることが好ましい。
以下、本発明で利用できる幾つかのイオン化法の例を簡単に説明する。
【００１２】
ＥＩ（電子イオン化法）法
ＥＩ法は、ＥＢ法とも呼ばれ、イオン化室の近くにあるタングステンやレニウムでできたフィラメントを加熱することにより発生する熱電子を、イオン化室と呼ばれるイオン化するサンプルのある場所を通すことにより、サンプル分子と熱電子を衝突させ、イオンを生じさせる方法である。ＥＩ法によるイオン化では分子が衝突によりくだけ、親イオンを見いだすのは難しい。現在はフラグメントからもとの親分子を類推するライブラリができており、ライブラリのデータベースを利用して、親分子を決定することができる。
【００１３】
ＣＩ（化学イオン化）法
イオン化したいサンプルとともに、試薬ガスと呼ばれるガスをイオン化室に導入しこれらを衝突させ、試薬ガスと熱電子間に生じたイオンが、サンプルイオンと衝突することにより、試薬ガスイオンが付加した型のイオンを生じさせる方法である。試薬ガスとしてはメタン、イソブタン、水素、水、アンモニアなどが用いられ、水素、メタン、イソブタンなどでは、プロトン付加、アンモニアではアンモニウム付加イオンＮＨ4+が付加される。ＥＩ法に比較して、イオン化過程がソフトで、親イオンがプロトン化したものが見つかりやすい。
【００１４】
ＦＩ（フィールドイオン化）法
非常に鋭くとがった陽極のエミッタと陰極との間に高い電界例えば１０８Ｖｃｍ-1をかけておき、ここにサンプルガスを導入し、量子化学的な“トンネル効果”によって、有機分子から電子１個がエミッタに移動し、イオン化を起こさせる方法である。
【００１５】
ＦＤ（フィールドディソープションイオン化）法
特別の処理を行うことによって、微細の針状構造をもったエミッタ上にサンプル溶液を付け、これを乾かして試料をエミッタ上に析出させてから、同様に高い電界をかけると、サンプルのイオン化が起こってスペクトルが得られる方法である。エミッタ上に置くサンプルは必ずしもガス状でなくともよいので、不揮発性の化合物や熱に不安定な化合物をエミッタ上に置くことも可能である。
上記ＦＩ法およびＦＤ法はソフトなイオン化法であり、例えば陽極を対電極とすると、親ピークとしてサンプルにプロトンが付加したものがイオンとして観察される。しかし、サンプル中にＬｉ、Ｎａ、Ｋなどのアルカリ金属が存在する場合、プロトンのかわりにこれらのイオンが付加した親ピークが生ずる。
【００１６】
ＰＤ（プラズマディソープション）法
例えば、サンプルを導入するイオン化室中にアルミニウムの薄片をおき、サンプルが液体または固体の場合薄片上に薄くぬり、この薄片上に２５２Ｃｆの放射壊変生成物を衝突させることにより、２５２Ｃｆから放出される約１００ＭｅＶというイオンがサンプルに衝突することにより、イオン化が行われる方法である。
【００１７】
ＳＩＭＳ（二次イオンマススペクトル）法
イオン化室に銀板をおき、サンプルが液体または固体の場合、サンプルを銀板上にぬる。ここに大きなエネルギーをもつＡｒ+イオンを衝突させて、有機分子のイオンを形成させる方法である。
【００１８】
ＦＡＢ（First Atom Bombardment）法
上記ＳＩＭＳ法によるＡｒ+をもう一度中性のＡｒに衝突させて高速のＡｒ+とＡｒのビームを作り、電場に通してＡｒ+を取り除いた後、高速の中性Ａｒのビームとし、これをサンプルに衝突させ、イオン化する方法である。
【００１９】
ＡＰＣＩ（大気圧化学イオン化）法
サンプルガスを導電性細管に導入し、細管の先端と対電極の間にコロナ放電を生じさせることにより、大気圧中でサンプルをイオン化する方法である。
【００２０】
ＥＳＩ（エレクトロスプレーイオン化）法
液体サンプルでは、試料を導電性細管に流し、細管と対電極の間に高電圧をかけることにより、クーロン反発力を利用しサンプルを細かくして、最終的に液中のサンプルをイオン化する方法である。サンプルが気体の場合は、二重管を用いて液体と共にスプレーすれば、同様に気体サンプルをイオン化することができる。
その他、液体イオン化法、ハイドロダイナミックイオン化法等の各種方法も本発明に利用することができる。
【００２１】
いずれのイオン化法でも、もとの親分子が何であるか判別できるものであればよいが、フラグメント化が複雑であると、近接した数値のｍ／ｚ値にスペクトルが連続するため、親分子が何であるか見つけることが困難となる。従って、フラグメント化を生じないソフトなイオン化法、すなわちフィールドイオン化法、フィールドディソープションイオン化法、大気圧化学イオン化法、エレクトロスプレーイオン化法等によれば、直接親分子のイオンを検出できるので好ましい。
【００２２】
続いて、イオン化されたサンプルは、質量分離手段によって分離される。
質量分離手段は種々のものが本発明に利用可能である。例えば、磁場型や電場型の単収束タイプのもの、または磁場電場を用いた二重収束タイプの質量分離手段、キューポールと呼ばれる四重極型、すなわち四本の金属棒を正方形の頂点に置き、相対する電極に、直流成分のある高周波電圧を流すことにより、この四本の棒中を通過できるイオンを選択するタイプ、イオントラップと呼ばれる円筒状の箱中に、電極を上下サイドに置き、高周波および直流成分の電圧により円筒内からイオンを選択的に取り出すもの、また、レーザ等の強力なエネルギーのレーザパルスにより生成されるパルスイオンを真空チューブに導入し、一定距離の飛行時間を測定して分子量を測定するＴＯＦ法、また、ＦＴ−ＭＳなどがあるが、ここで使用できる質量分離手段はいずれのものでも、イオンを選択・分離できるものであればよく、またこれらをいくつか組み合わせてイオンの分離の精度を増大させても構わない。
例えばＭＳ−ＭＳ、ＭＳ−ＭＳ−ＭＳ、さらにトリプルクアッドと呼ばれる、親イオンをソフトイオン化法によりカウントした後に、フラグメントを解析することにより分子の構造に関する情報を得るものも使用できる。
【００２３】
続いて、質量分離手段で分離されたイオンは、イオン検出手段により分析される。イオン検出手段は、イオンのｍ／ｚ値の強度をカウントできるものならばいずれのものでもよく、一般的にはファラディカップ、イオンや電子倍増管、チャネルトロン、マイクロチャネルプレートなどがある。また、これらを組み合わせて用いてもよい。本発明において、特定の空間からサンプリングされた空気は、プレフィルタなどによりゴミ等を取り、選択透過膜などで濃縮をした後にイオン化手段でイオン化され、質量分離手段でイオンを選択した後に、イオン検出手段でイオンの数をカウントするのが好ましい。
【００２４】
上記の方法ではいずれにおいても、空間のサンプリング場所と質量分離する装置はなるべく近くがよく、配管の長さが長くなると分子が大きいため管壁に付着し、分解物が観察されにくく好ましくない。また、配管はなるべく保温するのがよいが、しなくても観察は可能である。イオン化に用いられるステンレス管は太くてもよいが、電場を集中させるため細いものほどよく、先端は鋭いほどイオン化に好適である。
【００２５】
図１に本発明の人又は動物の検知装置の構成図を示す。
【００２６】
本発明の装置は、死亡した人又は動物の存在、或いはその生活痕跡の検知装置であり、かかる装置は、前記のようなイオン化手段１、質量分離手段２及びイオン検出手段３に加え、死亡した人又は動物が発する酪酸、イソ酪酸、ジエチルチオアセタール、インドール又はスカトールのイオンのｍ／ｚ値（質量数／荷電数）、その強度、及び死亡しているか否か又は生活痕跡があるか否かを判別するための基準値を一つ以上登録することができる登録手段４と、前記質量分離手段３により検出される酪酸、イソ酪酸、ジエチルチオアセタール、インドール又はスカトールのイオンのｍ／ｚ値の強度とこれらのイオンのｍ／ｚ値の平常時の強度とを比較し、その比較値がこのｍ／ｚ値に対応する基準値を越えているか否かを判別する判別手段５、及びこの判別手段５で得られた情報をデイスプレー等の表示装置（記載せず)や警報装置(記載せず)等に伝達するための信号送受信手段６とを備えている。
【００２７】
この判別手段５においては、このようにして検出された酪酸、イソ酪酸、ジエチルチオアセタール、インドール又はスカトールのイオンのｍ／ｚ値の強度と前記登録手段４に予め登録されているｍ／ｚ値の強度の比を求め、これらの比較値が酪酸、イソ酪酸、ジエチルチオアセタール、インドール又はスカトールの各物質について、予め登録手段４に登録されている基準値を越えた場合に死亡した人又は動物が存在するか、或いはその生活痕跡があったと判断するものである。具体的には、この判別の基準値は酪酸、イソ酪酸、インドール、スカトールで例えばそれぞれ５である。
【００２８】
【実施例】
実施例１（参考例）：
試験用の空間として縦、横がそれぞれ１０ｍ、高さが２ｍの密閉された部屋を使用した。この部屋の１８ケ所に本発明の装置のサンプル採取管７を取りつけてまず最初に人のいない空の状態での空気を切り替え器８により順次切り替えて採取し、このサンプリングした空気を本発明の装置のＡＰＩ法によるイオン化手段１に導入してイオン化し、次いでスキマーを通して１０−５〜１０−６Ｔｏｒｒに減圧された質量分離手段２、四重極分析計（測定可能領域）２０００＝ｍ／ｚ値に導入した。分離されたイオンはイオン検出手段３にてチャンネルトロンによって検出、測定された。この時得られた各成分のｍ／ｚ値の強度のデータは登録手段４に登録された。
次に、この部屋に成人男子が一人入り５分経過した後に、同様にして部屋の空気を採取した。このサンプリングした空気も同様にして本発明の装置に導入されて各成分のｍ／ｚ値の強度のデータとして検出され、次いで判別手段において両方のｍ／ｚ値の強度の比を求めて人の存比の判別処理を行った。
【００２９】
ブランクの場合と人が入った場合の各成分のｍ／ｚ値の強度の値と判別手段で得られた両者の比を表１に示す。ｍ／ｚ＝４６がエタノールに、ｍ／ｚ＝４７がエタノールにプロトンの付加したものに、ｍ／ｚ＝５９がアセトンにプロトンの付加したものにそれぞれ相当する。この表１からわかるように、多くの成分ではこの比の値が１で濃度の変化がないが、エタノール及びアセトンに相当するｍ／ｚであらかじめ設定した基準値である５を越えており、これから人が存在すると判断され、この結果信号送受信手段からその旨の信号が出された。
【００３０】
【表１】
0004127590.tif 000002
【００３１】
実施例２：
以下の方法によって死亡した人の腐敗臭による検知及びその生活痕跡の検知のモデル実験を行った。
即ち、モデル有臭物質として死亡したラットを使用し、これを実施例１と同一の試験室に入れ、温度４０℃で１００時間放置した後に実施例１と同様にして本発明の装置によって測定を行った。この場合イオン化手段１はＥＩ法、ＥＳＩ法とＡＰＣＩ法の３通りで行った。ここで得られた測定値を死体が存在する場合に相当するものとして、腐敗臭のする部屋とする。次に、試験室から前記の有臭物質を取り除き、部屋を開放して２４時間放置した後に実施例１と同様にして本発明の装置によって測定を行った。この場合イオン化手段１もＥＩ法、ＥＳＩ法とＡＰＣＩ法の３通りで行った。ここで得られた測定値を生活痕跡のある場合に相当するものとして、生活跡のある部屋とする。これらの測定前に、実施例１と同様に有臭物質等の存在しない平常時の部屋の空気についても測定した。
これらの測定で得られたｍ／ｚ値とその平常時、腐敗臭あり及び生活跡ありの場合の強度並びに腐敗臭あり及び生活跡ありの場合のそれぞれの強度と平常時の強度との比、腐敗臭物質名を表２〜表４に示す。尚、表２はＥＩ法で、表３はＥＳＩ法で、表４はＡＰＣＩ法で測定した結果である。
【００３２】
【表２】
0004127590.tif 000003
【００３３】
【表３】
0004127590.tif 000004
【００３４】
【表４】
0004127590.tif 000005
【００３５】
表２〜表４において、その強度の表現は、例えば「 6.90E-10」は「６．９０×１０-10」を意味する。その他も同様である。
これらの測定結果を使用して判別手段５において平常時との比較を行い、ＥＩ法では、チオール類であるメチルメルカプタン、プロピルメルカプタン、硫化エチル、ブタンチオール、１，４−ブタンチオール、チオアセタール類であるジメチルチオアセタール、スルホナール類であるスルホナール、アミン類であるトリメチルアミン、トリエチルアミン、インドール類であるインドール、スカトール類であるスカトール、不飽和炭化水素化合物であるブテン、２−ブテン、イソブテン、スチレン、有機酸類である酪酸においてｍ／ｚが基準値を越えて濃度の変化が検知され、その結果、これらは比較値が平常時の１０倍以上であることから死亡した人の存在が、又比較値が平常時の５倍以上であることからその生活痕跡があったことが判別される。
【００３６】
また、ＥＳＩ法では、チオール類である硫化水素、メチルメルカプタン、硫化メチル、エタンチオール、プロピルメルカプタン、硫化エチル、ブタンチオール、ジエチルスルファイド、１，４ブタンチオール、チオアセタール類であるジエチルチオアセタール、ジメチルチオアセタール、スルホナール類であるスルホナール、アンモニア類であるアンモニア、アミン類であるメチルアミン、ジメチルアミン、トリメチルアミン、エチルアミン、ジエチルアミン、トリエチルアミン、ジイソプロピルアミン、アルデヒド類であるホルムアルデヒド、エナントアルデヒド、アクロレイン、インドール類であるインドール、スカトール類であるスカトール、不飽和炭化水素化合物であるブテン、２−ブテン、イソブテン、スチレン、有機酸類である酪酸、イソ酪酸においてｍ／ｚが基準値を越えて濃度の変化が検知され、その結果、これらは比較値が平常時の１０倍以上であることから死亡した人の存在が、又比較値が平常時の５倍以上であることからその生活痕跡があったことが判別される。
【００３７】
さらに、ＡＰＣＩ法では、チオール類であるメチルメルカプタン、硫化メチル、エタンチオール、プロピルメルカプタン、硫化エチル、ブタンチオール、ジエチルスルファイド、１，４ブタンチオール、チオアセタール類であるジエチルチオアセタール、ジメチルチオアセタール、スルホナール類であるスルホナール、アミン類であるジメチルアミン、トリメチルアミン、エチルアミン、ジエチルアミン、トリエチルアミン、ジイソプロピルアミン、アルデヒド類であるアクロレイン、インドール類であるインドール、スカトール類であるスカトール、
不飽和炭化水素化合物であるブテン、２−ブテン、イソブテン、スチレン、有機酸類である酪酸、イソ酪酸においてｍ／ｚが基準値を越えて濃度の変化が検知され、その結果、これらは比較値が平常時の１０倍以上であることから死亡した人の存在が、又比較値が平常時の５倍以上であることからその生活痕跡があったことが判別される。
【００３８】
これらの方法で判別され、信号送受信手段６から死亡した人又は動物が存在すること及びその生活痕跡があることの警報信号が発せられる。
また、未同定の有臭物質も検出され、増加傾向にあるｍ／ｚ値の合計を比較することでも通常の状態と異なっているか否かの判別が可能となる。
尚、実施例２では、硫黄含有化合物、チッソ含有化合物、炭化水素化合物又は有機酸類において、死亡した人又は動物が存在する、又は生活痕跡があるとする二つの基準値を一律にそれぞれ１０倍以上、５倍以上として説明したが、硫黄含有化合物、チッソ含有化合物、炭化水素化合物又は有機酸類それぞれについて二つの基準値を設定して、登録手段４に登録するようにしてもよい。また、硫黄含有化合物、チッソ含有化合物、炭化水素化合物又は有機酸類の各物質のｍ／ｚ値の強度は、各種イオン化法により種々変化するものであり、各イオン化法により得られるｍ／ｚ値の平常時の強度をそれぞれ個別に設定するようにしてもよく、その強度を登録手段４に登録するようにしてもよい。
【００３９】
【発明の効果】
本発明によって、室内等の空間内に死亡した人又は動物が存在するかどうか、更にはその生活痕跡を容易に、確実に検知することができる。
【図面の簡単な説明】
【図１】本発明の人又は動物の検知装置の構成図である。
【符号の説明】
１．イオン化手段
２．質量分離手段
３．イオン検出手段
４．登録手段
５．判別手段
６．送受信手段
７．空気採取管
８．切り替え器
【図１】
0004127590.tif 000006